(57)【要約】【課題】本発明はＡＴＭネットワークの受信側装置におけるセル損失時のＲＴＳ損失判定方式に関し，セル損失時のＲＴＳ補完指示信号の作成を短時間で終了させ，回路の小規模・低コスト化と短時間処理を可能とすることを目的とする。【解決手段】受信ＡＴＭセルのＡＡＬ１デセル化処理を行う機構のＳＮ／ＳＮＰ処理部において抽出したＡＡＬ１ヘッダに基づいて発生した受信シーケンス（ＳＣ）番号，受信ＲＴＳ値，予測ＳＣ番号及びセル損失信号を受け取るＲＴＳ取得部は，セル損失時に受信ＳＣ番号と予測ＳＣ番号を用いてセル損失数を求めるセル損失数算出手段と，セル損失時に前記セル損失数算出手段により求めたセル損失数と予測ＳＣ番号を加算した結果の値を判定して補完すべきＲＴＳの期間を判別して，クロック再生を行う回路に出力するＲＴＳ補完指示生成手段と，を備えるよう構成する。【選択図】図１
2005117129.tif 000002
【特許請求の範囲】
【請求項１】
ＡＴＭネットワークの受信側装置におけるセル損失時のＲＴＳ損失判定方式であって，
受信ＡＴＭセルのＡＡＬ１デセル化処理を行う機構のＳＮ／ＳＮＰ処理部において抽出したＡＡＬ１ヘッダに基づいて発生した受信シーケンス（ＳＣ）番号，受信ＲＴＳ値，予測ＳＣ番号及びセル損失信号を受け取るＲＴＳ取得部は，セル損失時に受信ＳＣ番号と予測ＳＣ番号を用いてセル損失数を求めるセル損失数算出手段と，セル損失時に前記セル損失数算出手段により求めたセル損失数と予測ＳＣ番号を加算した結果の値を判定して補完すべきＲＴＳの期間を判別して，クロック再生を行う回路に出力するＲＴＳ補完指示生成手段と，
を備えることを特徴とするセル損失時のＲＴＳ損失判定方式。
【請求項２】
請求項１において，
前記ＲＴＳ補完指示生成手段は，前記セル損失数算出手段により求めた損失数に予測ＳＣ番号を加算して得られた値が，８以上の場合は１ＲＴＳの損失とし，９以上の場合は２ＲＴＳの損失として判別して，対応する補完指示を発生することを特徴とするセル損失時のＲＴＳ損失判定方式。
【発明の詳細な説明】
【技術分野】
【０００１】
本発明は，ＡＴＭ(Asynchronous Transfer Mode)セルを伝送するネットワーク装置の受信側において，ＡＡＬ１（ATM Adaptation Layer 1) の機能である受信側でのＳＲＴＳ方式を用いてソースクロックの再生を行う伝送装置におけるセル損失時のＲＴＳ損失判定方式に関する。
【背景技術】
【０００２】
ＡＴＭの機能の一つであるＡＡＬ（ＡＴＭアダプテーションレイヤ）は，ＩＴＵ−Ｔ  I.363.1 により規定されている。ＡＡＬは伝送サーバの特性に応じてデータのセル化，デセル化を行う機能のレイヤであり，ＡＡＬのタイプの１つであるＡＡＬ１は，ＣＢＲ（Constant Bit Rate:固定速度）の音声や映像データを対象に規定されている。
【０００３】
ＡＡＬ１の伝送装置は，ＣＢＲ信号を受信し，ＡＡＬ１の処理を施したＡＴＭセルにより送信し，受信側でこれを受信してＡＡＬ１の処理により再びＣＢＲ信号に再生する。この場合，受信したＣＢＲ信号は，ＡＴＭネットワークを経由する間に通過するクロスコネクト装置や，セル損失・セル誤配等によって遅延ゆらぎが発生する。そのため，遅延ゆらぎを吸収するＣＤＶ（Cell Delay Variation: セル遅延ゆらぎ) 吸収バッファが設けられる。
【０００４】
また，ＩＴＵ−Ｔの勧告では，送信側で網抽出基準クロックｆnxに同期しないクロック周波数ｆｓによりＣＢＲ信号をＡＴＭセル化して送る場合に，受信側で送信元のＣＢＲ信号クロック周波数ｆｓを再生する手段としてＳＲＴＳ（Synchronous Residual Time Stamp)方式を勧告している。ＡＴＭセルからＡＡＬ１信号をデセル化してＲＴＳ値を取得する方法は様々な方式が提案されているが，その中の一つに図６，図７に示す技術（特許文献１参照）がある。
【０００５】
図６は従来例の構成を示し，図中，８０はＣＤＶ吸収バッファ，８１は警報信号や故障情報を伝送するＯＡＭ（Operation Administrative Mentanance:運用保守) セルを検出するＯＡＭセル検出部，８２はＡＡＬ１デセル化処理部である。ＡＡＬ１デセル化処理部８２内の，８２ａはＳＮ／ＳＮＰ（Sequence Number ／Sequence Number Protection) 処理部，８２ｂはデセル化バッファ，８２ｃはセル要求生成部，８２ｄはＲＴＳ（Residual Time Stamp)取得部である。
【０００６】
ＣＤＶ吸収バッファ８０は，入力するＡＴＭセルを一時保持してＡＡＬ１デセル化処理部８２のセル要求生成部８２ｃからのＣＢＲ化セル要求信号に基づいてＣＢＲ化されたＡＴＭセルを読出し，ＯＡＭセル検出部８１へ入力する。ＯＡＭセル検出部８１はセルのヘッダのペイロード・タイプの情報からＯＡＭセルを検出すると，ＯＡＭセルは保守制御側（図示省略）へ出力し，ＯＡＭセル以外のユーザのセルはＡＡＬ１デセル化処理部８２のＳＮ／ＳＮＰ処理部８２ａへ入力する。ＳＮ／ＳＮＰ処理部８２ａではＩＴＵ−ＴのＡＡＬ１の規格に従って，ペイロード部のＳＡＲ−ＰＤＵヘッダのＳＮフィールドとＳＮＰフィールドを用いたセルの有効・無効の判定及びＳＮ（０，１，２，…，７の番号を順番に繰り返す）の連続性の監視によるセル損失・誤配の判定を行って，受信ＳＣ番号，予測ＳＣ番号，セル損失信号と共に，ＳＡＲ−ＰＤＵヘッダのＳＣ番号が奇数（１，３，５，７）の時のそれぞれのＣＳＩビットにより表された受信ＲＴＳ値（補正タイムスタンプ値:Residual Time Stamp) 及びセル損失信号をＲＴＳ取得部８２ｄに出力する。このＲＴＳ値は，送信元のＣＢＲ信号を発生する装置のクロック周波数（ｆs とする）と網から抽出した基準クロック周波数（ｆnxとする）との差分を表し，これを受信側に転送することによりクロック再生を可能にする。
【０００７】
上記ＳＮ／ＳＮＰ処理部（図６の８２ａ）の状態遷移の説明図を図７に示す。図７において，Ｓ１は初期化時の状態であるスタート(Start) ，Ｓ２は同期外れ(Out of Sync) ，Ｓ３は同期(Sync)，Ｓ４は順番外れ(Out of Sequence),Ｓ５は無効(Invalid) の状態を表す。Ｓ１の状態で，有効セルを受信するとＳ２の状態へ遷移し（同期がまだとれてない状態），そのセルは廃棄する。Ｓ２の状態で不連続ＳＣ（ＳＮフィールドのＳＮに対応するシーケンスカウント値）を受信するとＳ２に留まり，そのセルを廃棄し，連続ＳＣのセルを受け取るとＳ３へ遷移し，そのセルを受け入れる。Ｓ３の状態で不連続ＳＣを受信すると，Ｓ４の状態へ遷移し，そのセルを受け入れる。Ｓ３の状態で無効ＳＣを受信するとＳ５へ遷移してそのセルを受け入れる。Ｓ４の状態で無効ＳＮを受信するとＳ１に遷移し，そのセルを廃棄する。Ｓ４の状態で不連続ＳＣを受信するとＳ２に遷移し，Ｓ４の状態でＳＮ誤り推定，セル損失，セル誤配を検出すると，Ｓ３へ遷移する。Ｓ５の状態では，セル誤配，ＳＮ誤り推定の場合はＳ３へ遷移し，無効ＳＮを受信するとＳ１へ遷移する。また，Ｓ５の状態で，不連続のＳＣを受信すると，Ｓ２へ遷移する。
【０００８】
ＳＮ／ＳＮＰ処理部８２ａは，デセル化バッファ８２ｂへＡＡＬ１終端（ＡＴＭセルヘッダ及びＳＡＲ−ＰＤＵヘッダを除去）のセル信号（ＣＢＲ信号）を出力し，セル損失を検出した時にセル損失補完信号を出力する。ＲＴＳ取得部８２ｄは，受信ＳＣ番号，予測ＳＣ番号，受信ＲＴＳ値及びセル損失信号を受け取って，ＲＴＳクロック再生部（図示省略）へＲＴＳ値を出力し，セル損失時にＲＴＳ補完指示を出力する。ＲＴＳクロック再生部は，網抽出の基準クロックｆnxに対しＲＴＳ値の差分で修正して送信元のＣＢＲ信号のクロック周波数（ｆs ）を再生する。この再生クロックによりデセル化バッファ８２ｂはＣＢＲ信号を読出す。そのデセル化バッファ８２ｂの容量が任意の値まで下がるとセル要求生成部８２ｃでデセル化バッファ容量情報を検出し，ＣＤＶ吸収バッファ８０に対してＣＢＲ化ＡＴＭセル要求信号が出力される。
【０００９】
また，ＳＮ／ＳＮＰ処理部８２ａでセル損失を検出してデセル化バッファ８２ｂにセル損失補完信号を出力すると，デセル化バッファ８２ｂはセル損失補完信号に対応してダミー（ダミーセル）のＣＢＲ信号を生成させる。ＳＮ／ＳＮＰ処理部８２ａからセル損失補完信号がデセル化バッファ８２ｂに出力されると，その間はＳＮ／ＳＮＰ処理部８２ａからセル要求生成部８２ｃに対してセル損失信号が供給される。セル要求生成部８２ｃはこの期間は，ＣＤＶ吸収バッファ８０からのセルの読出しを停止させるため，ＣＢＲ化セル要求信号の発生停止し，ＲＴＳ取得部８２ｄではセル損失信号からＲＴＳ補完指示信号を作成してＲＴＳクロック再生部へ出力する。
【００１０】
図８は従来例の動作フローであり，上記図６において実行される。最初にＡＴＭセルを受信すると（図８のＳ１），ＳＮ／ＳＮＰ処理部（図６の８２ａ）でセル損失の判定を行い（同Ｓ２），この処理に続いてデセル化バッファ（図６の８２ｂ）にセルを蓄積する（同Ｓ７）。ステップＳ２のセル損失判定に続いて，ＲＴＳ取得部（図６の８２ｄ）でセル損失が「連続」しているか判別し（図８のＳ３），連続する場合はＲＴＳ補完指示を作成する（同Ｓ５）。セル損失が連続しない場合，セル損失情報があるか判別し（図８のＳ４），ある場合は上記と同じＳ５のＲＴＳ取得部でＲＴＳ補完指示を作成して，ステップＳ３に戻り，セル損失情報がない場合は受信ＲＴＳ値をクロック再生部へ出力する（同Ｓ６）。上記ＳＮ／ＳＮＰ処理部における上記ステップＳ２の処理の後，セル要求生成部（図６の８２ｃ）ではセル損失情報があるか判別し（図８のＳ８），ある場合はＳ１に戻り，無い場合はデセル化バッファのセル蓄積量が閾値以上か判別し（同Ｓ９），閾値以上でないとＣＤＶ吸収バッファ（図６の８０）へのセル要求を生成し（図８のＳ１０），ステップＳ１に戻る。ステップＳ９で蓄積量が閾値以上と判別されるとＣＤＶ吸収バッファへのセル要求を停止し（図８のＳ１１），ステップＳ８に戻る。
【特許文献１】特開平１０−２７１０号公報（図３）
【発明の開示】
【発明が解決しようとする課題】
【００１１】
上記従来の技術によれば，セル損失を補完する場合，その期間中，ＣＤＶ吸収バッファに対するセル要求を停止したり，ＲＴＳ補完指示信号を出力していなければならなかったため，それらの期間だけ継続する信号（セル損失の数に対応する時間継続する信号及びＲＴＳ補完をする時間継続する信号）を作成する回路が複雑になるという問題があった。
【００１２】
例えば，ＳＮ／ＳＮＰ処理部（図６の８２ａ）ではセル損失を検出してからデセル化バッファ８２ｂへセル補完が完了するまでセル損失情報を保持しておかなければならないし，また，セル要求生成部（図６の８２ｃ）では，セル補完が完了するまでＣＤＶ吸収バッファ（図６の８０）へのセル要求を停止しなければならないため，ＳＮ／ＳＮＰ処理部と連携しなければならなく，それらの機能を実現するための回路が複雑化するという問題があった。更に，ＲＴＳ取得部（図６の８２ｄ）ではＲＴＳ補完指示信号を作成するのにセル損失信号と同じ長さの時間を要していたため，ＲＴＳクロック再生部に対する指示に時間がかかるという問題があった。すなわち，６セル損失の場合には６セル分の時間がかかっていた。
【００１３】
本発明はセル損失時のＲＴＳ補完指示信号の作成を短時間で終了させ，回路の小規模・低コスト化と短時間処理を可能とするセル損失時のＲＴＳ損失判定方式を提供することを目的とする。
【課題を解決するための手段】
【００１４】
図１は本発明の原理構成である。図中，１はＡＡＬ１デセル化処理を行う回路に含まれるＲＴＳ取得部，１０はセル損失数算出手段，１１は補完するＲＴＳ値の個数（１ＲＴＳか２ＲＴＳの何れか）を指示するＲＴＳ補完指示生成手段，２もＡＡＬ１デセル化処理を行う回路に含まれるＳＮ／ＳＮＰ処理部である。
【００１５】
このＲＴＳ取得部１には，ＡＴＭセルがＣＤＶ吸収バッファを含む受信部（図示省略）を介してＡＡＬ１デセル化処理を行う回路のＳＮ／ＳＮＰ処理部２でＡＡＬ１の処理を行いＡＡＬ１ヘッダのＳＮ／ＳＮＰから受信ＳＣ番号（ａ），予測ＳＣ番号（ｂ）を発生すると共にセル損失の有無を表すセル損失信号（ｃ）を出力し，複数セルのＡＡＬ１ヘッダの奇数のＳＣ番号から受信ＲＴＳ値（ｄ）を抽出して出力する。これらの各信号ａ〜ｄはＲＴＳ取得部１へ入力され，セル損失数算出手段１０では次の式(1) によりセル損失数を算出する。但し，mod ８はモジュロー８を表す。
【００１６】
セル損失数＝｛（受信ＳＣ番号＋８）−予測ＳＣ番号｝mod ８    (1) 
こうして求めたセル損失数はＲＴＳ補完指示生成手段１１に出力され，ＲＴＳ補完指示生成手段１１は，このセル損失数及びＳＮ／ＳＮＰ処理部２からの予測ＳＣ番号を用いて次の式(2) の何れに該当するかの判断を行い，ＲＴＳ補完指示を生成する。
【００１７】
（損失数＋予測ＳＣ番号）≦８または（損失数＋予測ＳＣ番号）≧９  (2) 
この場合，８以下なら１ＲＴＳ損失，９以上なら２ＲＴＳ損失を表す信号を，ＲＴＳ補完指示として出力する。
【００１８】
なお，ＲＴＳ取得部１内のセル損失数算出手段１０及びＲＴＳ補完指示生成手段１１の機能は，ハードウェアにより構成できるが，ＣＰＵを含む処理装置によりソフトウェアにより実現することもできる。
【００１９】
受信ＲＴＳ値はＲＴＳ取得部１を通ってそのままＲＴＳクロック再生部（図示省略）へ出力される。このＲＴＳ取得部１ではセル損失時のＲＴＳ補完指示信号が短時間（１クロック）で作成できる。
【発明の効果】
【００２０】
本発明によればセル損失時のＲＴＳ補完指示信号の作成動作が短時間で終了することができるので，簡易な構成にすることができ，高速処理及び小規模化を実現することができる。
【発明を実施するための最良の形態】
【００２１】
図２は実施例のブロック構成図である。図中，３はＡＡＬ１デセル化処理部，３０はＡＡＬ１のＳＮ／ＳＮＰを処理するＳＮ／ＳＮＰ処理部，３１はＳＮ／ＳＮＰ処理部３０でＡＡＬ１が終端されたセル信号（ＡＡＬセルヘッダとＡＡＬ１のヘッダを除いた４７オクテットのユーザデータ）を入力して，網クロックからＲＴＳ再生クロックへ乗り換えＣＢＲ信号に変換するデセル化バッファ，３２はＡＡＬ１のＣＳ（Convergence Sublayer) ビットからＲＴＳ値を取得するＲＴＳ取得部，３２０，３２１は上記図１の１０，１１に対応し，それぞれセル損失数算出手段，ＲＴＳ補完指示生成手段，３３はデセル化バッファ３１の容量を監視しＣＤＶ吸収バッファ１へセルを要求するセル要求生成部，４はＣＤＶ吸収バッファ，５はＯＡＭセル検出部である。
【００２２】
ＡＴＭセルはＣＤＶ吸収バッファ４へ入力し，ＯＡＭセル検出部５においてＯＡＭセルを検出するとそれを廃棄し，ユーザセル（ＣＢＲ信号のセル）はＡＡＬ１デセル化処理部３へ入力し，ＳＮ／ＳＮＰ処理部３０で受信ＳＣ番号と予測ＳＣ番号からセル損失数を求めて，デセル化バッファ３１に供給する。これにより，デセル化バッファ３１では損失セル数分だけダミーセル分のデータを生成する。
【００２３】
ＲＴＳ取得部３２のセル損失数算出手段３２０とＲＴＳ補完指示生成手段３２１では上記図１のＲＴＳ取得部１の１０及び１１と同じ機能を備える。ＳＮ／ＳＮＰ処理部３０から受信ＳＣ番号（ａ），予測ＳＣ番号（ｂ）が一致して，セル損失信号（ｃ）の出力が発生しないとセル損失がないものとしＲＴＳ取得部３２は，ＳＮ／ＳＮＰ処理部３０からの受信ＲＴＳ値（ｄ）を，ＲＴＳクロック再生部（図示省略）へ出力する。セル損失信号ｃの出力が発生すると，ＲＴＳ取得部３２は上記図１に説明した方法で，セル損失数を求め更にＲＴＳ補完指示（１ＲＴＳか２ＲＴＳ）を発生する。また，受信ＲＴＳ値もＳＮ／ＳＮＰ処理部３０からＲＴＳ取得部３２を通って出力され，ＲＴＳ補完指示と共にＲＴＳクロック再生部（図示省略）へ供給される。なお，ＲＴＳクロック再生部では，ＲＴＳ補完指示により指示された個数のＲＴＳ値として自走ＲＴＳ値を使用し，ＲＴＳ補完指示が無い場合は，受信したＲＴＳ値を使用してクロック再生を行う。
【００２４】
ＳＮ／ＳＮＰ処理部３０はＲＴＳ取得部３２におけるＲＴＳ損失判定が１クロックで完了するので，セル損失信号ｃを長く（損失セル数分の長さ）保持する必要がなく，デセル化バッファへセル損失数を通知するだけて処理時間が短縮できる。
【００２５】
図３は実施例の動作フローであり，上記図２に示す構成において実行される。
【００２６】
最初にＡＴＭセルが受信（図２のＣＤＶ吸収バッファ４，ＯＡＭセル検出部５で）され（図３のＳ２），ＳＮ／ＳＮＰ処理部（図２のＡＡＬ１デセル化処理部３内の３０）でセル損失の判定が行われる（図３のＳ２）。この判定に続いて，セル損失情報があるか判別し（図３のＳ３），セル損失があると判定されるとＲＴＳ取得部でＲＴＳ補完指示を作成し（同Ｓ４），セル損失がないと判定されると受信ＲＴＳ値をクロック再生部へ出力する（同Ｓ５）。また，ＳＮ／ＳＮＰ処理部でセル損失判定を行った後，デセル化バッファ（図２の３１）にセルを蓄積し（図３のＳ６），そのデセル化バッファの蓄積情報（容量情報）がセル要求生成部（図２の３３）に送られて，セル要求生成部においてＣＤＶ吸収バッファへのセル要求が生成される（図３のＳ７）。
【００２７】
図４は具体例１のタイムチャートである。この具体例１のタイムチャートは，ＳＣ３〜ＳＣ７の５セル損失が発生した１ＲＴＳ損失の場合である。
【００２８】
図４のａ．は受信ＳＣ番号，ｂ．は予測ＳＣ番号，ｃ．はＳＣ検出のタイミング，ｄ．はセル損失検出のタイミング，ｅ．はＲＴＳ周期タイミング，ｆ．はＲＴＳ補完指示の信号，ｇ．はＲＴＳ値出力を表す。ｈ．〜ｇ’．は上記ｇ．に示す１ＲＴＳ周期の時間を拡大した各種の信号のタイムチャートを示し，上記ａ．ｂ，ｄ，ｅ，ｆ，ｇと同じ信号を拡大した信号は「ａ’」，「ｂ’」，…のように「’」を付けて示す。ｈ．はクロック，ａ’．は受信ＳＣ番号，ｂ’．は予測ＳＣ番号，ｂ”．は予測ＳＣ番号のシフト（ｂ’．をシフトしたもの），ｄ’はセル損失検出，ｉ．は損失判定タイミング，ｊ．は２ＲＴＳの判定信号，ｋ．は結果保持タイミング，ｆ’．はＲＴＳ補完指示の信号，ｇ’．はＲＴＳ値出力を表す。
【００２９】
図４の場合，ａ．に示すように受信ＳＣ番号が「１」，「２」と連続した後，受信ＳＣ番号「０」が受信され，続いて「１」が受信されることで，その前の「０」の受信時にセル損失が発生したことを確認でき，「１」を受信したＳＣタイミングで図４のｄ．及びｄ’に示すようにセル損失検出の出力が発生し，ｉ．に示す損失判定タイミングで，セルの損失数及びＲＴＳの判定を行う。セル損失数の計算は，上記の式(1) の通りである。
【００３０】
図４のａ．の受信ＳＣ番号「０」と予測ＳＣ番号「３」の場合，
セル損失数＝｛（０＋８）−３｝ｍｏｄ８＝５
となり，５セル損失となる。
【００３１】
次に損失が１ＲＴＳか，２ＲＴＳかの判定を行う。その判定は次の演算を行ってその結果について次の判定を行う。
【００３２】
（損失数＋予測ＳＣ番号）が８以下の場合は，１ＲＴＳ損失であり，
（損失数＋予測ＳＣ番号）が９以上の場合は，２ＲＴＳ損失であり，
この判定結果は図４のｋ．の結果保持タイミングで保持され，これに対応してＲＴＳ補完指示が図４のｆ，ｆ’に示すように立上って，１ＲＴＳの期間が終了すると，セル損失検出の信号（図４のｄ，ｄ’）が“Ｌ”になっており，ＲＴＳ補完指示信号は立下がる。このＲＴＳ補完指示信号が“Ｈ”になっているＲＴＳ期間は，ＲＴＳ取得部３２から終了されるＲＴＳ値は図４のｇ．及びｇ’に示すように無効な値（更新しないので“０”）になる。
【００３３】
図５は具体例２のタイムチャートである。このタイムチャートは，ＳＣ７，ＳＣ０の２セル損失が発生した２ＲＴＳ損失の場合である。図５のａ．〜ｇ．及びｈ．〜ｇ’．の各信号は上記図４と同様である。但し，ｈ．〜ｇ’の各信号はほぼ２ＲＴＳの期間のタイムチャートを表す。
【００３４】
ＳＣ番号７，０の２セルが損失した場合，ＳＮ／ＳＮＰ処理部において受信ＳＣ番号＝２の時点でセル損失が検出される。ＲＴＳ取得部では，上記に説明したセル損失数の演算を行う。
【００３５】
セル損失数＝｛（受信ＳＣ番号＋８）−予測ＳＣ番号｝ｍｏｄ８
＝｛（１＋８）−７｝ｍｏｄ８＝２
次に（損失数＋予測ＳＣ番号）＝（２＋７）＝９であり，９以上であるので２ＲＴＳ損失となり，図５のｊ．に示す２ＲＴＳの判定信号を“Ｈ”にセットする。また，結果保持タイミングでＲＴＳ補完指示（図５のｆ，ｆ’）を“Ｈ”にセットする。次の結果保持タイミング（図５のｋ）で２ＲＴＳの判定信号は“Ｌ”にクリアされるが，ＲＴＳ補完指示はクリアせず“Ｈ”を保持する。さらに次の結果保持タイミングで“Ｌ”にリセットすることにより，ＲＴＳクロック再生部に対して１ＲＴＳの長さの補完指示信号が出力される。
【００３６】
ＳＮ／ＳＮＰ処理部（図２の３０）では，ＲＴＳの損失判定が１クロックで完了することにより，セル損失検出信号を長く保持している必要がなくなるため，上記図４，図５に示すように数クロック程度で解除している。従って，デセル化バッファへの補完指示は，損失数を通知することで処理時間が短縮できる。また，セル要求生成部（図２の３３）では，ＲＴＳの損失判定が１クロックで完了することによって，すぐ次のセルが入力されても通常状態でセルを受け入れることが可能となるため，ＣＤＶ吸収バッファ４に対するセル要求の停止動作が不要となり，回路削減を実現できる。
【００３７】
（付記１）  ＡＴＭネットワークの受信側装置におけるセル損失時のＲＴＳ損失判定方式であって，受信ＡＴＭセルのＡＡＬ１デセル化処理を行う機構のＳＮ／ＳＮＰ処理部において抽出したＡＡＬ１ヘッダに基づいて発生した受信シーケンス（ＳＣ）番号，受信ＲＴＳ値，予測ＳＣ番号及びセル損失信号を受け取るＲＴＳ取得部は，セル損失時に受信ＳＣ番号と予測ＳＣ番号を用いてセル損失数を求めるセル損失数算出手段と，セル損失時に前記セル損失数算出手段により求めたセル損失数と予測ＳＣ番号を加算した結果の値を判定して補完すべきＲＴＳの期間を判別して，クロック再生を行う回路に出力するＲＴＳ補完指示生成手段と，を備えることを特徴とするセル損失時のＲＴＳ損失判定方式。
【００３８】
（付記２）  付記１において，前記ＲＴＳ補完指示生成手段は，前記セル損失数算出手段により求めた損失数に予測ＳＣ番号を加算して得られた値が，８以上の場合は１ＲＴＳの損失とし，９以上の場合は２ＲＴＳの損失として判別して，対応する補完指示を発生することを特徴とするセル損失時のＲＴＳ損失判定方式。
【００３９】
（付記３）  付記１において，前記セル損失数算出手段は，受信ＳＣ番号に８を加算して，予測ＳＣ番号を減算して，結果をモジュロー８の数値として生成することを特徴とするセル損失時のＲＴＳ損失判定方式。
【図面の簡単な説明】
【００４０】
【図１】本発明の原理構成を示す図である。
【図２】実施例のブロック構成図である。
【図３】実施例の動作フローを示す図である。
【図４】具体例１のタイムチャートを示す図である。
【図５】具体例２のタイムチャートを示す図である。
【図６】従来例の構成を示す図である。
【図７】ＳＮ／ＳＮＰ処理部の状態遷移の説明図である。
【図８】従来例の動作フローを示す図である。
【符号の説明】
【００４１】
１        ＲＴＳ取得部
１０      セル損失数算出手段
１１      ＲＴＳ補完指示生成手段
２        ＳＮ／ＳＮＰ処理部
【図１】
2005117129.tif 000003
【図２】
2005117129.tif 000004
【図３】
2005117129.tif 000005
【図４】
2005117129.tif 000006
【図５】
2005117129.tif 000007
【図６】
2005117129.tif 000008
【図７】
2005117129.tif 000009
【図８】
2005117129.tif 000010